(57)【要約】【課題】光学素子の光軸に関して光学面が対称であり、かつ複数の光学面の面精度が略同等の成形品を得る。【解決手段】金型装置１０は、離間して対向配置された固定側鏡面駒２６と可動側鏡面駒３６によって形成されたキャビティ４０に、溶融した成形素材を射出して光学素子を成形するものであり、キャビティ４０内に成形される光学素子の光軸と、固定側鏡面駒２６のキャビティ４０面側との交点近傍に形成されたゲート２８と、このゲート２８に対向する位置近傍の可動側鏡面駒３６に埋設されたヒータ３８と、このヒータ３８の温度を制御する温度制御装置４４とを備えている。【選択図】  図１Ａ
2008238687.tif 000002
【特許請求の範囲】
【請求項１】
第１の成形面を備えた第１の駒と、
第２の成形面を備え、該第１の駒から離間して対向配置された第２の駒と、
前記第１の駒に形成されたゲートと、
前記第２の駒に埋設された熱発生手段と、
該熱発生手段の温度を制御する温度制御手段とを備え、
前記第１の駒と前記第２の駒は、その中心が所定の軸と一致するように配置され、
前記ゲートは、前記所定の軸の近傍であって、その一端が前記第１の成形面に到達するように形成され、
前記熱発生手段は、前記ゲートに対向する位置近傍に配置されている
ことを特徴とする金型装置。
【請求項２】
前記温度制御手段は、
前記ゲート位置近傍の前記第１の駒の温度と、前記ゲートに対向する位置近傍の前記第２の駒の温度と、の温度差が所定値以下となるように前記熱発生手段を制御する
ことを特徴とする請求項１に記載の金型装置。
【請求項３】
前記第１の駒および前記第２の駒は、
前記金型装置の型締め時の前記第１の成形面および前記第２の成形面間の対向する距離が、各面の中心部よりも外周部において広くなるように各々形成されている
ことを特徴とする請求項１または２に記載の金型装置。
【請求項４】
互いに相対的に移動可能に配置された第１の型及び第２の型を備え、
前記第１の型は第１の駒を有し、前記第２の型は第２の駒を有し、
前記第１の駒は第１の成形面を有し、前記第２の駒は第２の成形面を有し、
前記第１の成形面及び前記第２の成形面は離間して、かつ、対向して配置され、
前記移動に伴い前記第１の成形面及び前記第２の成形面によって形成されたキャビティ内に成形素材を射出してレンズを成形する金型装置において、
前記キャビティ内に成形されるレンズの光学的機能面上の略中央部に対応する前記第１の成形面上に配置され、前記キャビティ内に前記成形素材を射出するゲートと、
前記ゲートからの射出時における前記成形素材のせん断発熱により高温となった前記ゲート近傍の温度と、前記ゲートに対向する前記第２の成形面の位置近傍の温度と、の温度差が所定値以下となるように、前記第２の駒の温度を制御する温度制御手段と、
を有することを特徴とする金型装置。
【請求項５】
前記第２の駒は、熱発生手段を埋設し、
前記温度制御手段は、前記熱発生手段の温度を制御し、
前記第１の駒と前記第２の駒は、その中心が所定の軸と一致するように配置されている請求項４に記載の金型装置。
【請求項６】
前記第１の駒および前記第２の駒は、
前記第１および第２の成形面として、
前記キャビティが形成された際の前記第１および第２の成形面間の対向する距離が、
各面の中心部よりも外周部において広くなるように各々形成されていることを特徴とする請求項４または５に記載の金型装置。
【請求項７】
前記温度制御手段は、
前記ゲートから射出される成形素材の射出完了後から前記金型装置の型開き時までの期間における前記温度差が、所定値以下となるように前記熱発生手段を制御する請求項２または５に記載の金型装置。
【請求項８】
前記温度制御手段は、
前記ゲートの近傍の温度を検出する第１の温度センサと、
前記ゲートに対向する前記第２の成形面の位置近傍の温度を検出する第２の温度センサと、
前記第１の温度センサの温度検出値および前記第２の温度センサの温度検出値を比較する比較部と、
前記比較部の比較結果に基づいて、前記熱発生手段を制御する発熱制御部と、
からなることを特徴とする請求項１、２、３、５、６、７の何れか１項記載の金型装置。
【請求項９】
前記第２の駒は、断面積が等しい複数の第１の発熱体を有し、
該複数の第１の発熱体は、前記所定の軸から周辺に向かって配置され、
前記所定の軸から周辺に向かうにつれて、前記第１の発熱体の数が減少することを特徴とする請求項１または４に記載の金型装置。
【請求項１０】
前記第２の駒は、断面積が異なる複数の第１の発熱体を有し、
該複数の第１の発熱体は、前記所定の軸から周辺に向かって配置され、
前記所定の軸から周辺に向かうにつれて、前記第１の発熱体の断面積が減少することを特徴とする請求項１または４に記載の金型装置。
【請求項１１】
前記第２の駒は、複数の第１の発熱体を有し、
前記熱発生手段および複数の前記第１の発熱体は、何れも断面積が等しく、
前記所定の軸から周辺にわたって、前記熱発生手段および複数の前記第１の発熱体が一定の間隔で配置され、
前記第１の駒は、複数の第２の発熱体を有し、
該複数の第２の発熱体は、前記所定の軸から周辺に向かって、前記第１の成形面全体の温度が均一になるように配置されている請求項１または５に記載の金型装置。
【請求項１２】
前記第２の駒は、複数の第１の発熱体を有し、
前記熱発生手段および複数の前記第１の発熱体は、互いに断面積が異なり、
前記所定の軸から周辺にわたって、前記熱発生手段および複数の前記第１の発熱体がランダムに配置され、
前記第１の駒は、複数の第２の発熱体を有し、
該複数の第２の発熱体は、前記所定の軸から周辺に向かって、前記第１の成形面全体の温度が均一になるように配置されている請求項１または５に記載の金型装置。
【請求項１３】
前記所定の軸から周辺に向かうにつれて、前記第２の発熱体の数が増加することを特徴とする請求項１１または１２に記載の金型装置。
【請求項１４】
前記所定の軸から周辺に向かうにつれて、前記第２の発熱体の断面積が増加することを特徴とする請求項１１または１２に記載の金型装置。
【請求項１５】
第１の駒と第２の駒によって形成されたキャビティ内に、溶融した成形素材を射出して光学素子を成形する光学素子の射出成形方法において、
前記キャビティ内に成形される光学素子の光軸と、前記第１の駒の前記キャビティ側と、の交点近傍に形成されたゲートから、前記成形素材を射出する工程と、
前記ゲート位置近傍の前記第１の駒の温度と、前記ゲートに対向する位置近傍の前記第２の駒の温度と、の温度差が所定値以下となるように前記第２の駒の温度を制御する温調工程と、を備える
ことを特徴とする光学素子の射出成形方法。
【請求項１６】
第１の成形面及び第２の成形面によって形成されたキャビティ内に成形素材を射出してレンズを成形する射出成形方法において、
前記キャビティ内に成形されるレンズの光学的機能面上の略中央部に対応する前記第１の成形面上に配置されたゲートから前記成形素材を射出する工程と、
前記ゲートからの射出時における前記成形素材のせん断発熱により高温となった前記ゲート近傍の温度と、前記ゲートに対向する前記第２の成形面の位置近傍の温度と、の温度差が所定値以下となるように前記第２の成形面の温度を制御する温調工程と、
を備えた射出成形方法。
【請求項１７】
前記温調工程では、前記成形素材の射出完了後から前記金型装置の型開き時までの期間における前記温度差が、所定値以下となるように前記温度を制御する
請求項１５または請求項１６に記載の射出成形方法。
【請求項１８】
前記温調工程では、
前記ゲート位置近傍の前記第１の駒の温度は、第１の温度センサによって検出され、
前記ゲートに対向する位置近傍の前記第２の駒の温度は、第２の温度センサによって検出され、
前記第１の温度センサによる温度検出値と、前記第２の温度センサによる温度検出値とを比較し、その比較値が所定値以下となるように制御する
ことを特徴とする請求項１５から１７に記載の光学素子の射出成形方法。
【請求項１９】
請求項１５から１７に記載された光学素子の射出成形方法によって成形されたことを特徴とする光学素子。
【発明の詳細な説明】
【技術分野】
【０００１】
本発明は、溶融した成形素材をキャビティに射出して光学素子を成形する金型装置と射出成形方法、及び光学素子に関する。
【背景技術】
【０００２】
従来、射出成形によりレンズ等の光学素子を成形する場合、成形品の側面に対応する位置（サイドゲート）から樹脂（成形素材）を充填することが知られている。しかし、成形品が凹レンズの場合、サイドゲートから注入された樹脂は、成形面の中心（レンズの光軸に相当）付近では、肉厚が小さいため、その流動が抑制される。そして、中心部よりも肉厚が大きい周辺部に樹脂が先に流れ込む。そして、充填完了時には、ゲートの延長線上で周辺から流れ込んだ樹脂同士が合流し、ここに合わせ目を発生させる。
【０００３】
この合わせ目は、いわゆるウェルドラインと呼ばれる筋状の線のことである。このウェルドラインは、ゲート位置の略１８０°の反対位置に発生することが多い。このようなウェルドラインは、光学的にゴーストやフレア等の不良現象を発生させる。
【０００４】
これに対し、例えば特許文献１には、プラスチックの成形用金型において、回転対称なレンズ形状を得るために、ゲートを成形面の中心上又はその近傍に設け、凹レンズを成形する点が開示されている。
【特許文献１】特開平４−４７９１２号公報
【発明の開示】
【発明が解決しようとする課題】
【０００５】
成形面の中心上又はその近傍は、レンズの有効径の内側（光学的機能面）である。そのため、ゲートが成形面の中心上又はその近傍に設けられた場合、ゲート痕を小さくして、レンズの光学性能に悪影響を及ぼさないようにする必要がある。特に近年は、光学系の小型化に伴いレンズ自体も小型のものが要求されている。そのため、レンズの有効径範囲に対するゲート痕の割合を小さくする必要がある。
【０００６】
一方、樹脂を成形する際、樹脂の熱によってゲート位置は非常に高温となる。特に、径の小さいゲートに粘弾性が高い樹脂を射出すると、せん断発熱量が多くなり、ゲート位置が更に高温となる。
【０００７】
さらに、凹レンズを形成する場合、成形面の中心付近の空間が最も狭くなる。そのため、ゲートが成形面の中心上又はその近傍に設けられた場合、成形面の中心では樹脂が溜まるので熱が逃げにくくなる。そのため、ゲートを有する入子駒に熱が溜まってしまう。
【０００８】
一方、成形の際、成形品の肉厚が厚いほど熱が逃げにくく、薄いほど熱が逃げやすい傾向がある。このため、凹レンズを成形する場合、成形品の中心肉厚が薄いためレンズの外周部に比して中心部の熱が逃げやすくなる。ただし上記の理由から、ゲートを有する入子駒では、樹脂の射出によって高温となる上、樹脂が溜まるので、入子駒から熱が逃げることは抑制される。これに対して、もう一方の入子駒（ゲートを有する入子駒と対向配置された入子駒）には熱源がないため、この対向する入子駒の中心部の熱は逃げやすくなる。
【０００９】
そのため、特許文献１に記載された技術では、固定側の入子駒と可動側の入子駒とで、樹脂の冷却速度が異なってしまう。すなわち、ゲートを有する入子駒の成形面と、これと対向する成形面との間に温度差が生じ、固定側金型と可動側金型とのパーティング面に対して、レンズは非対称な温度分布となる。そうすると、１つのレンズにおいて、成形面の面精度が悪化する。さらに、複数のレンズを一度に成形する場合、各々の樹脂の収縮率がそれぞれのレンズで異なることから、レンズ同士の間で面精度が異なることとなる。
【００１０】
本発明は斯かる課題を解決するためになされたもので、１つの光学素子における面精度が高く、また、複数の光学素子を同時に成形した場合に、成形品同士の面精度が略同等となる金型装置と射出成形方法、及び光学素子を提供することを目的とする。
【課題を解決するための手段】
【００１１】
前記目的を達成するため、本発明は、第１の成形面を備えた第１の駒と、第２の成形面を備え、該第１の駒から離間して対向配置された第２の駒と、前記第１の駒に形成されたゲートと、前記第２の駒に埋設された熱発生手段と、該熱発生手段の温度を制御する温度制御手段とを備え、前記第１の駒と前記第２の駒は、その中心が所定の軸と一致するように配置され、前記ゲートは、前記所定の軸の近傍であって、その一端が前記第１の成形面に到達するように形成され、前記熱発生手段は、前記ゲートに対向する位置近傍に配置されていることを特徴とする。
【００１２】
また、本発明は、上述の金型装置において、前記温度制御手段は、前記ゲート位置近傍の前記第１の駒の温度と、前記ゲートに対向する位置近傍の前記第２の駒の温度と、の温度差が所定値以下となるように前記熱発生手段を制御することが好ましい。
【００１３】
また、本発明は、上述の金型装置において、前記第１の駒および前記第２の駒は、前記金型装置の型締め時の前記第１の成形面および前記第２の成形面間の対向する距離が、各面の中心部よりも外周部において広くなるように各々形成されていることが好ましい。
【００１４】
また、本発明は、互いに相対的に移動可能に配置された第１の型及び第２の型を備え、
前記第１の型は第１の駒を有し、前記第２の型は第２の駒を有し、前記第１の駒は第１の成形面を有し、前記第２の駒は第２の成形面を有し、前記第１の成形面及び前記第２の成形面は離間して、かつ、対向して配置され、前記移動に伴い前記第１の成形面及び前記第２の成形面によって形成されたキャビティ内に成形素材を射出してレンズを成形する金型装置において、前記キャビティ内に成形されるレンズの光学的機能面上の略中央部に対応する前記第１の成形面上に配置され、前記キャビティ内に前記成形素材を射出するゲートと、前記ゲートからの射出時における前記成形素材のせん断発熱により高温となった前記ゲート近傍の温度と、前記ゲートに対向する前記第２の成形面の位置近傍の温度と、の温度差が所定値以下となるように、前記第２の駒の温度を制御する温度制御手段と、を有することを特徴とする。
【００１５】
また、本発明は、上述の金型装置において、前記第２の駒は、熱発生手段を埋設し、前記温度制御手段は、前記熱発生手段の温度を制御し、前記第１の駒と前記第２の駒は、その中心が所定の軸と一致するように配置されていることが好ましい。
【００１６】
また、本発明は、上述の金型装置において、前記第１の駒および前記第２の駒は、前記第１および第２の成形面として、前記キャビティが形成された際の前記第１および第２の成形面間の対向する距離が、各面の中心部よりも外周部において広くなるように各々形成されていることが好ましい。
【００１７】
また、本発明は、上述の金型装置において、前記温度制御手段は、前記ゲートから射出される成形素材の射出完了後から前記金型装置の型開き時までの期間における前記温度差が、所定値以下となるように前記熱発生手段を制御することが好ましい。
【００１８】
また、本発明は、上述の金型装置において、前記温度制御手段は、前記ゲートの近傍の温度を検出する第１の温度センサと、前記ゲートに対向する前記第２の成形面の位置近傍の温度を検出する第２の温度センサと、前記第１の温度センサの温度検出値および前記第２の温度センサの温度検出値を比較する比較部と、前記比較部の比較結果に基づいて、前記熱発生手段を制御する発熱制御部と、からなることが好ましい。
【００１９】
また、本発明は、上述の金型装置において、前記第２の駒は、断面積が等しい複数の第１の発熱体を有し、該複数の第１の発熱体は、前記所定の軸から周辺に向かって配置され、前記所定の軸から周辺に向かうにつれて、前記第１の発熱体の数が減少することが好ましい。
【００２０】
また、本発明は、上述の金型装置において、前記第２の駒は、断面積が異なる複数の第１の発熱体を有し、該複数の第１の発熱体は、前記所定の軸から周辺に向かって配置され、前記所定の軸から周辺に向かうにつれて、前記第１の発熱体の断面積が減少することが好ましい。
【００２１】
また、本発明は、上述の金型装置において、前記第２の駒は、複数の第１の発熱体を有し、前記熱発生手段および複数の前記第１の発熱体は、何れも断面積が等しく、前記所定の軸から周辺にわたって、前記熱発生手段および複数の前記第１の発熱体が一定の間隔で配置され、前記第１の駒は、複数の第２の発熱体を有し、該複数の第２の発熱体は、前記所定の軸から周辺に向かって、前記第１の成形面全体の温度が均一になるように配置されていることが好ましい。
【００２２】
また、本発明は、上述の金型装置において、前記第２の駒は、複数の第１の発熱体を有し、前記熱発生手段および複数の前記第１の発熱体は、互いに断面積が異なり、前記所定の軸から周辺にわたって、前記熱発生手段および複数の前記第１の発熱体がランダムに配置され、前記第１の駒は、複数の第２の発熱体を有し、該複数の第２の発熱体は、前記所定の軸から周辺に向かって、前記第１の成形面全体の温度が均一になるように配置されていることが好ましい。
【００２３】
また、本発明は、上述の金型装置において、前記所定の軸から周辺に向かうにつれて、前記第２の発熱体の数が増加することが好ましい。
また、本発明は、上述の金型装置において、前記所定の軸から周辺に向かうにつれて、前記第２の発熱体の断面積が増加することが好ましい。
【００２４】
また、本発明は、第１の駒と第２の駒によって形成されたキャビティ内に、溶融した成形素材を射出して光学素子を成形する光学素子の射出成形方法において、前記キャビティ内に成形される光学素子の光軸と、前記第１の駒の前記キャビティ側と、の交点近傍に形成されたゲートから、前記成形素材を射出する工程と、前記ゲート位置近傍の前記第１の駒の温度と、前記ゲートに対向する位置近傍の前記第２の駒の温度と、の温度差が所定値以下となるように前記第２の駒の温度を制御する温調工程と、を備えることを特徴とする。
【００２５】
また、本発明は、第１の成形面及び第２の成形面によって形成されたキャビティ内に成形素材を射出してレンズを成形する射出成形方法において、前記キャビティ内に成形されるレンズの光学的機能面上の略中央部に対応する前記第１の成形面上に配置されたゲートから前記成形素材を射出する工程と、前記ゲートからの射出時における前記成形素材のせん断発熱により高温となった前記ゲート近傍の温度と、前記ゲートに対向する前記第２の成形面の位置近傍の温度と、の温度差が所定値以下となるように前記第２の成形面の温度を制御する温調工程と、を備えたことを特徴とする。
【００２６】
また、本発明は、上述の光学素子の射出成形方法において、前記温調工程では、前記成形素材の射出完了後から前記金型装置の型開き時までの期間における前記温度差が、所定値以下となるように前記温度を制御するが好ましい。
【００２７】
また、本発明は、上述の光学素子の射出成形方法において、前記温調工程では、前記ゲート位置近傍の前記第１の駒の温度は、第１の温度センサによって検出され、前記ゲートに対向する位置近傍の前記第２の駒の温度は、第２の温度センサによって検出され、前記第１の温度センサによる温度検出値と、前記第２の温度センサによる温度検出値とを比較し、その比較値が所定値以下となるように制御することが好ましい。
【００２８】
また本発明の光学素子は、上述の光学素子の射出成形方法によって成形されたことを特徴とする。
【発明の効果】
【００２９】
本発明によれば、１つの光学素子を成形する場合、この光学素子の面精度を高くすることができる。また、複数の光学素子を同時に成形した場合に、成形品同士の面精度を略同等にすることができる。また、このような光学素子を成形できる金型を実現できる。
【発明を実施するための最良の形態】
【００３０】
以下、図面に基づき本発明の実施の形態を説明する。
図１Ａは、射出成形用の金型装置の断面図であり、図１Ｂは、その要部の拡大断面図である。
【００３１】
この金型装置１０は、第１の型としての固定側金型１２と、第２の型としての可動側金型１４とを有している。この固定側金型１２と可動側金型１４とは、パーティングラインＰＬを境として、型締め方向に相対的に移動可能に配置されている。
【００３２】
固定側金型１２は、中央にスプルー２１が設けられた第１固定側型板２０と、この第１固定側型板２０に密着配置される第２固定側型板２２、及び第１固定側型板２０が取付けられる固定側取付板２４とを有している。スプルー２１の射出方向の先端側で、第１固定側型板２０と第２固定側型板２２との境界面には、ランナ２３が形成されている。第２固定側型板２２には、円柱形状を有する第１の駒としての固定側鏡面駒２６が設けられている。
【００３３】
可動側金型１４は、第１可動側型板３０及び第２可動側型板３２と、可動側取付板３４とを有している。可動側取付板３４には、一対のエジェクタプレート４１，４２を介して、第１可動側型板３０が取付けられている。第１可動側型板３０及び第２可動側型板３２には、円柱形状を有する第２の駒としての可動側鏡面駒３６が設けられている。
【００３４】
固定側鏡面駒２６と可動側鏡面駒３６とは、離間してかつ対向して配置され、その対向面間にキャビティ４０が形成されている。ここで、固定側鏡面駒２６と可動側鏡面駒３６は、その中心が所定の軸と一致するように配置されている。この所定の軸は、固定側鏡面駒２６と可動側鏡面駒３６の中心軸であっても良いし、あるいは成形される光学素子の光軸であっても良い。また、本実施形態では、このキャビティ４０は２個形成されている。ただし、その個数は限定されない。
【００３５】
図２に示すように、固定側鏡面駒２６の型締め方向の一端側（キャビティ側）には成形面２６ａが形成され、型締め方向の他端側には、第１固定側型板２０と当接する当接面２６ｂが形成されている。
【００３６】
同様に、可動側鏡面駒３６の型締め方向の一端側（キャビティ側）には成形面３６ａが形成され、型締め方向の他端側には、エジェクタプレート４１と当接する当接面３６ｂが形成されている。前述したキャビティ４０は、固定側鏡面駒２６の成形面２６ａと可動側鏡面駒３６の成形面３６ａとの間に形成されている。
【００３７】
また、固定側鏡面駒２６の成形面２６ａと可動側鏡面駒３６の成形面３６ａとの離間距離は、中心部よりも外周部の方が大きい。すなわち、金型装置１０の型締め状態における、成形面２６ａおよび成形面３６ａ間の対向する距離が、各面の中心部よりも外周部において広くなるように各々形成されている。より具体的に言えば、キャビティ４０の形状は、凹レンズ状又は凹メニスカス状となっている。
【００３８】
ここで、金型装置１０の型締め状態とは、図１Ａに示したように、第２固定側型板２２と第２可動側型板３２とを、パーティングラインＰＬで密着させた状態を指す。この型締め状態で、固定側鏡面駒２６と可動側鏡面駒３６とは、その中心軸線が略一致するように精密に加工されている。これにより、固定側鏡面駒２６と可動側鏡面駒３６の成形面２６ａ，３６ａ同士の位置関係が適正となり、成形品における偏心の発生が防止される。
【００３９】
固定側鏡面駒２６には、ゲート２８が形成されている。ゲート２８の位置は、所定の軸（キャビティ４０の内部に成形される光学素子の光軸）の近傍である。あるいは、この所定の軸と、固定側鏡面駒２６の成形面２６ａとの交点近傍に、ゲート２８が形成されている。
【００４０】
本実施形態では、このゲート２８は、射出口の径がφ０．８ｍｍであるが、射出口の径はφ０．５ｍｍ以下が良い。これは、光学素子の有効径範囲に対するゲート痕の面積を小さくすることができるので、ゲート２８の射出口の径は小さい方が好ましいのである。このようにすると、ゲート痕が光学素子の光学性能に悪影響を及ぼす割合を少なくすることができる。
【００４１】
また、固定側鏡面駒２６の断面の略中心にゲート２８を設けたことで、光学素子の光軸中心から樹脂を充填することができる。これにより、中心から周辺に向かって、樹脂が途中で抑制されることなく略均等に流れていくので、ウェルドラインの発生が防止される。
【００４２】
また、可動側鏡面駒３６には、ゲート２８に対向する位置近傍で、かつゲート２８からの樹脂の射出方向に沿って、熱発生手段としてのヒータ３８が埋設されている。このヒータ３８は、ゲート２８に対向する位置近傍の可動側鏡面駒３６を局部的に加熱する機能を有している。なお、熱発生手段として、ヒータ３８の代わりに、油や水などを用いた温調管とすることで、温度制御を行いやすくすることができる。
【００４３】
さらに、固定側鏡面駒２６におけるゲート２８の射出口近傍には、第１の温度センサとしての温度センサ５０が配置されている。また、可動側鏡面駒３６におけるゲート２８の射出口近傍には、第２の温度センサとしての温度センサ５２が配置されている。これらの温度センサ５０，５２としては、例えば熱電対が用いられている。
【００４４】
前述したヒータ３８は、温度制御手段としての温度制御装置４４に接続されている。この温度制御装置４４は、温度センサ５０と、温度センサ５２と、温度センサ５０、５２の出力値を比較する比較部４６と、ヒータ３８の熱発生量を制御する発熱制御部としてのヒータ制御部４８とを有している。
【００４５】
そして、比較部４６では、温度センサ５０によるゲート位置近傍の温度検出値と、温度センサ５２によるゲート２８に対向する位置近傍の温度検出値との温度差が比較される。ヒータ制御部４８では、前述した温度差が所定値以下となるように（好ましくは同一となるように）、ヒータ３８を制御する。
【００４６】
本実施形態では、この所定値として２℃としている。発明者の実験によれば、この所定値を超えると、成形される光学素子の面精度が悪化することを見出したからである。
次に、キャビティ４０内に溶融樹脂を射出して光学素子を成形する場合の成形方法について説明する。
【００４７】
上述の型締め状態で、ゲート２８から注入された溶融樹脂は、所定の射出圧でキャビティ４０内に充填される。このとき、ゲート２８からは、高温に溶融された樹脂（例えば２３０〜２８０℃）が放射状に射出される。射出後は、ゲート２８から溶融樹脂に所定の保圧が付与される。
【００４８】
本実施形態では、このゲート２８は固定側鏡面駒２６の略中心にあるため、射出口近傍の固定側鏡面駒２６の温度も高温になる。特に、径の小さいゲートに溶融した粘弾性が高い樹脂が射出されるため、射出される樹脂がせん断発熱し、そのせん断発熱量に応じて射出口近傍が高温となる。
【００４９】
このように、溶融樹脂のせん断発熱によって、固定側鏡面駒２６の温度も高温になるので、固定側の温度センサ５０による温度検出値は、可動側の温度センサ５２による温度検出値よりも高くなる。このため、両センサ５０、５２の温度検出値の比較値が所定の設定値である２℃を越える。すると、ヒータ制御部４８では、その比較値が２℃以内となるようにヒータ３８の出力を上げる。
【００５０】
逆に、ヒータ３８の出力を上げすぎる等によって、両センサ５０、５２の温度検出値の比較値が所定の設定値である２℃を越える場合がある。この場合は、その比較値が２℃以内となるようにヒータ制御部４８は、ヒータ３８の出力を下げるか、または出力をとめる。
【００５１】
こうして、固定側鏡面駒２６のゲート位置近傍の温度と、可動側鏡面駒３６のゲート２８に対向する位置近傍の温度を略均等にする。この状態で、キャビティ４０内の樹脂を冷却して、任意のサイクルタイムになったら型開きを行い、成形品としての光学素子を取り出す。
【００５２】
この場合、不図示の突出機構により、一対のエジェクタプレート４１、４２が図１Ａの右方向に移動すると、可動側鏡面駒３６が固定側金型１２の方向に移動する。この結果、光学素子が、第２可動側型板３２から突き出される。
【００５３】
本実施形態によれば、ゲート２８を有さない可動側鏡面駒３６の温度を、近傍に埋設されたヒータ３８により任意に変化させることができる。これにより、固定側鏡面駒２６と可動側鏡面駒３６の対向側のそれぞれの温度が略均等になるため、面精度が良好な光学素子を得ることができる。また、本実施形態では、固定側鏡面駒２６の略中心にゲート２８があるため、サイドゲートから樹脂を注入する場合のようなウェルドラインが発生することがない。
【００５４】
さらに、可動側鏡面駒３６の中心（ゲート２８と対向する位置）にヒータ３８を設けたことで、ゲート位置近傍と均等な温度になるように制御することができる。例えば、成形品が凹レンズの場合、レンズ中心部は薄肉であるため樹脂の冷却速度が速くなる。そして、ゲート近傍と可動側鏡面駒３６との間に温度差があると、特にレンズ中心部の光学面の精度が悪化する。また、レンズ本体に歪も生じやすく複屈折などが発生する。これに対し、本実施形態によれば、これらの課題を解決することができる。
【００５５】
すなわち、可動側鏡面駒３６の温度をゲート近傍温度に近づけることで、溶融樹脂の収縮も均等になり、レンズの表裏側の光学面での面精度は良好になる。また、本実施形態では、温度制御装置４４により、ゲート２８に対向する位置近傍の可動側鏡面駒３６に埋設されたヒータ３８の温度を制御した。これにより、可動側鏡面駒３６とゲート近傍の温度差を２℃以内とすることができる。
【００５６】
この結果、可動側鏡面駒３６と固定側鏡面駒２６の温度分布が、パーティング面ＰＬを境界にして対称となる。このため、充填された樹脂の収縮率が、光学素子の有する複数の光学面（例えば表裏両面）においてパーティング面ＰＬを境界にして対称となり、１つの光学素子の面精度が高く、また、複数の光学素子を同時に成形した場合に、成形品同士の面精度が互いに同程度な成形品を得ることができる。
【００５７】
さらに、本実施形態では、キャビティ４０内に成形される光学素子の光軸と、固定側鏡面駒２６との交点近傍にゲート２８を設けたため、成形品の光学面が光軸に関して対称となる。この結果、光学系を組み立てる際に、光学素子の置き方に左右されずに良好な光学性能を得ることができる。また、溶融樹脂が均等に射出されるため、ウェルドラインの発生を抑制することができる。
【００５８】
なお、本発明の実施の形態においては、固定側鏡面駒２６と可動側鏡面駒３６にそれぞれ一つずつ温度センサを配置した。これに代えて、温度センサを各鏡面駒に複数配置することで、より正確に各鏡面駒の成形面の温度分布を検出することができる。
【００５９】
また、本発明の実施の形態においては、温度センサ５０および５２の温度検出値の比較値が所定の設定値である２℃を越えると、ヒータ制御部４８では、その比較値が２℃以内となるようにヒータ３８の出力を上げることとした。
【００６０】
これに代えて、図３に示されるように、ヒータ制御部４８は、金型装置の型開き時の途中からヒータ３８の出力を上げて、樹脂の充填の開始と同時にヒータ３８の出力を停止してもよい。この場合、樹脂の充填後におけるゲートを有する駒の冷却曲線と、ゲートを有しない駒の冷却曲線と、が一致することが望ましい。
【００６１】
具体的には、樹脂の充填が完了してから、金型装置の型開き時までの期間において、温度センサ５０および５２の温度検出値の比較値が２℃以内となるようにヒータ３８の出力開始時刻と、樹脂の充填の開始時刻と、が選ばれる。このように、ヒータ制御部４８は、ヒータ３８の出力を制御することで、固定側鏡面駒２６と可動側鏡面駒３６の対向側のそれぞれの温度が略均等になる。
【００６２】
このため、１つの光学素子を成形する場合、この光学素子の面精度が高くすることができる。また、複数の光学素子を同時に成形した場合に、成形品同士の面精度を略同等にすることができる。なお、樹脂の充填が完了した直後に、温度センサ５０および５２の温度検出値の比較値が所定値以内でなくても、所定時間経過後に、ゲートを有する駒および有しない駒の冷却曲線が一致すれば良い。
【００６３】
また、図４に示されるように、ヒータ制御部４８がヒータ３８の出力を制御しても良い。すなわち、樹脂の充填時には、ヒータ制御部４８は、ヒータ３８の出力を上げないが、樹脂の充填が完了したと同時に、温度センサ５０および５２の温度検出値の比較値が所定値以内となるようにヒータ３８の出力を上げることとしても良い。
【００６４】
なお、本発明の実施の形態においては、ヒータ３８は、ゲート２８に対向する位置近傍で、かつゲート２８からの樹脂の射出方向に沿って可動側鏡面駒３６に埋設されているとした。これに代えて、図５または図６に示されるように、複数のヒータ３８が可動側鏡面駒３６に設けられていてもよい。
【００６５】
ここで、図５および図６は、金型装置１０における、ヒータ３８、ゲート２８、可動側鏡面駒３６、固定側鏡面駒２６、第２可動側型板３２、第２固定側型板２２、キャビティ４０、ＰＬ、を模式的に示している。また、その他の構成要素は、図１Ａと共通するため図示を省略している。
【００６６】
本発明は、図５に示されるように、断面積の等しい複数のヒータ３８が、可動側鏡面駒３６に埋設されていてもよい。そして、複数のヒータ３８は、上述の所定の軸から周辺に向かって配置され、所定の軸から周辺に向かうにつれて、ヒータ３８の数が減少するように配置されている。
【００６７】
一方、図６に示されるように、断面積の異なる複数のヒータ３８が、可動側鏡面駒３６に埋設されていてもよい。そして、複数のヒータ３８は、上述の所定の軸から周辺に向かって配置され、所定の軸から周辺に向かうにつれて、ヒータ３８の断面積が減少するように配置されている。
【００６８】
このように、溶融した樹脂の射出によって高温となるゲート２８に対向する位置近傍においては、ヒータ３８は密に配置される。一方、溶融した樹脂の射出による温度変化の少ない位置、すなわち所定の軸から周辺に向かうにつれて、ヒータ３８は疎に配置される。そして、ヒータ制御部４８は、温度センサ５０および５２の温度検出値の比較値が所定値以内となるようにヒータ３８の出力を上げることができる。
【００６９】
これにより、可動側鏡面駒３６と固定側鏡面駒２６の温度分布が、パーティング面ＰＬを境界にして対称となる。このため、充填された樹脂の収縮率が、光学素子の有する複数の光学面（例えば表裏両面）においてパーティング面ＰＬを境界にして対称となり、１つの光学素子を成形する場合、この光学素子の面精度を高くすることができる。また、複数の光学素子を同時に成形した場合に、成形品同士の面精度を略同等にすることができる。
【００７０】
なお、本発明の実施の形態においては、図７および図８に模式的に示されるように、複数のヒータ３８が固定側鏡面駒２６および可動側鏡面駒３６に設けられていてもよい。すなわち、本発明は、図７に示されるように、断面積の等しい複数のヒータ３８が、固定側鏡面駒２６および可動側鏡面駒３６に埋設されていてもよい。
【００７１】
そして、固定側鏡面駒２６の複数のヒータ３８は、上述の所定の軸から周辺に向かって配置され、所定の軸から周辺に向かうにつれて、ヒータ３８の数が増加するように配置されている。また、可動側鏡面駒３６の複数のヒータ３８は、上述の所定の軸から周辺にわたって、一定の間隔で配置されている。
【００７２】
一方、図８に示されるように、断面積の等しい複数のヒータ３８が固定側鏡面駒２６に配置され、断面積の異なる複数のヒータ３８が可動側鏡面駒３６に埋設されていてもよい。そして、固定側鏡面駒２６の複数のヒータ３８は、上述の所定の軸から周辺に向かって配置され、所定の軸から周辺に向かうにつれて、ヒータ３８の断面積が増加するように配置されている。また、可動側鏡面駒３６の複数のヒータ３８は、上述の所定の軸から周辺にわたって、一定の間隔で配置されている。
【００７３】
このように、固定側鏡面駒２６の溶融した樹脂の射出によって高温となる固定側鏡面駒２６のゲート２８近傍においては、ヒータ３８は疎に配置される。一方、所定の軸から周辺に向かうにつれて、固定側鏡面駒２６は、ヒータ３８が密に配置される。これにより、固定側鏡面駒２６の全体の温度分布を均一にすることができる。また、可動側鏡面駒３６には、ヒータ３８が、所定の軸から周辺にわたって、一定の間隔で配置されている。
【００７４】
これにより、可動側鏡面駒３６の成形面３６ａの全面に渡って、温度分布が均一にすることができる。そして、ヒータ制御部４８は、センサ５０および５２の温度検出値の比較値が所定値以内となるようにヒータ３８の出力を上げることができる。これにより、可動側鏡面駒３６と固定側鏡面駒２６の温度分布が、パーティング面ＰＬを境界にして対称となる。
【００７５】
このため、充填された樹脂の収縮率が、光学素子の有する複数の光学面（例えば表裏両面）においてパーティング面ＰＬを境界にして対称となり、１つの光学素子を成形する場合、この光学素子の面精度を高くすることができる。また、複数の光学素子を同時に成形した場合に、成形品同士の面精度を略同等にすることができる。
【００７６】
なお、図７または図８では、可動側鏡面駒３６は、断面積の等しい複数のヒータ３８が所定の軸から周辺にわたって、一定の間隔で配置されているとした。これに代えて、図９または図１０に示されるように、可動側鏡面駒３６は、断面積が異なる複数のヒータ３８が所定の軸から周辺にわたって、ランダムに配置されていてもよい。この場合においても、可動側鏡面駒３６と固定側鏡面駒２６の温度分布が、パーティング面ＰＬを境界にして対称となる。このため、上記と同様な効果が得られる。
【００７７】
なお、図５から図１０では、全てのヒータ３８を同じ長さに記載しているが、温度分布に応じてヒータ３８の長さを変えても良い。具体的には、ゲート２８に対向する位置近傍においては、長いヒータ３８を可動側鏡面駒３６に配置する。一方、所定の軸から周辺に向かうにつれて、徐々に短いヒータ３８を可動側鏡面駒３６に配置する。具体的には、長いヒータ３８の成形面３６ａに近い側の端面から成形面３６ａまでの距離が、短いヒータ３８の成形面３６ａに近い側の端面から成形面３６ａまでの距離よりも小さくするように配置する。
【００７８】
ここで、ヒータ３８の端面から成形面３６ａまでの距離とは、所定の軸の方向に関する距離で定義する。この際、ゲート２８に対向する位置近傍においては、ヒータ３８を密に配置し又は断面積の大きいヒータ３８を配置し、所定の軸から周辺に向かうにつれて、徐々にヒータ３８を疎に配置し又はヒータ３８の断面積を減少させてもよい。
【００７９】
あるいは、ゲート２８の近傍においては、短いヒータ３８を固定側鏡面駒２６に配置し、所定の軸から周辺に向かうにつれて、徐々に長いヒータ３８を固定側鏡面駒２６に配置してもよい。この際、可動側鏡面駒３６は、断面積の等しい複数のヒータ３８が所定の軸から周辺にわたって、一定の間隔で配置し、又は、断面積が異なる複数のヒータ３８が所定の軸から周辺にわたって、ランダムに配置されていてもよい。
【００８０】
これにより、可動側鏡面駒３６と固定側鏡面駒２６の温度分布が、パーティング面ＰＬを境界に対して対称となる。このため、充填された樹脂の収縮率が、光学素子の有する複数の光学面（例えば表裏両面）においてパーティング面ＰＬを境界にして対称となり、１つの光学素子を成形する場合、この光学素子の面精度を高くすることができる。また、複数の光学素子を同時に成形した場合に、成形品同士の面精度を略同等にすることができる。
【００８１】
なお、上記の実施の形態においては、固定側金型にゲートを設けたが、可動側金型に設けてもよい。
以上、図面を参照して本発明の実施の形態について詳述してきたが、具体的な構成はこの実施の形態に限られるものでなく、本発明の要旨を逸脱しない範囲の設計変更等も含まれる。
【図面の簡単な説明】
【００８２】
【図１Ａ】本実施の形態の射出成形用の金型装置の断面図である。
【図１Ｂ】同上の要部の拡大断面図である。
【図２】固定側鏡面駒と可動側鏡面駒の断面図である。
【図３】固定側鏡面駒及び可動側鏡面駒の温度と成形時間との関係を示す図である。
【図４】固定側鏡面駒及び可動側鏡面駒の温度と成形時間との関係を示す図である。
【図５】金型装置の構成を模式的に示す図である。
【図６】金型装置の構成を模式的に示す図である。
【図７】可動側鏡面駒と固定側鏡面駒に複数のヒータが配置されている状態を示す図である。
【図８】可動側鏡面駒と固定側鏡面駒に複数のヒータが配置されている状態を示す図である。
【図９】可動側鏡面駒と固定側鏡面駒に複数のヒータが配置されている状態を示す図である。
【図１０】可動側鏡面駒と固定側鏡面駒に複数のヒータが配置されている状態を示す図である。
【符号の説明】
【００８３】
１０      金型装置
１２      固定側金型
１４      可動側金型
２０      第１固定側型板
２１      スプルー
２２      第２固定側型板
２３      ランナ
２４      固定側取付板
２６      固定側鏡面駒（第１の駒）
２６ａ    成形面
２８      ゲート
３０      第１可動側型板
３２      第２可動側型板
３４      可動側取付板
３６      可動側鏡面駒（第２の駒）
３６ａ    成形面
３８      ヒータ（熱発生手段）
４０      キャビティ
４４      温度制御装置（温度制御手段）
４６      比較部
４８      ヒータ制御部（発熱制御部）
５０      温度センサ（第１の温度センサ）
５２      温度センサ（第２の温度センサ）
【図１Ａ】
2008238687.tif 000003
【図２】
2008238687.tif 000004
【図３】
2008238687.tif 000005
【図４】
2008238687.tif 000006
【図１Ｂ】
2008238687.tif 000007
【図５】
2008238687.tif 000008
【図６】
2008238687.tif 000009
【図７】
2008238687.tif 000010
【図８】
2008238687.tif 000011
【図９】
2008238687.tif 000012
【図１０】
2008238687.tif 000013